(57)【要約】【課題】視認可能に構成された情報の秘匿性を高めることのできるカードを提供する。【解決手段】カード１０は、表面に秘匿対象の情報Ｉｓを含むカード本体２０と、上記表面に位置して情報Ｉｓを覆う調光シート３０であって、駆動電圧が印加されていない期間には調光シート３０が情報Ｉｓを視認不能とする不透過状態であり、駆動電圧が印加されている期間には調光シート３０が情報Ｉｓを視認可能とする透過状態である調光シート３０と、調光シート３０の状態を不透過状態から透過状態に変えるための操作を受けて駆動電圧の印加を開始する切替部とを備える。【選択図】図１
2018094789.tif 000002
【特許請求の範囲】
【請求項１】
表面に秘匿対象の情報を含むカード本体と、
前記表面に位置して前記情報を覆う調光シートであって、駆動電圧が印加されていない期間には前記調光シートが前記情報を視認不能とする不透過状態であり、駆動電圧が印加されている期間には前記調光シートが前記情報を視認可能とする透過状態である調光シートと、
前記調光シートの状態を前記不透過状態から前記透過状態に変えるための操作を受けて前記駆動電圧の印加を開始する切替部と、
を備えるカード。
【請求項２】
前記切替部は、
認証情報の入力を受け付ける認証情報入力部と、
前記認証情報入力部から前記認証情報が入力される制御部と、
前記制御部から制御信号を受けることに基づき前記駆動電圧を生成して前記調光シートに印加する駆動部と、を含み、
前記制御部は、当該制御部が記憶しているデータと前記認証情報とを用いて認証を行い、前記認証が成立したとき、前記制御信号を前記駆動部に出力し、
前記認証が成立する前記認証情報を前記認証情報入力部に対して入力する操作が、前記調光シートの状態を前記不透過状態から前記透過状態に変えるための操作である
請求項１に記載のカード。
【請求項３】
前記調光シートの状態を前記不透過状態から前記透過状態に変えるための操作は、前記切替部に電力を供給するための操作であり、
前記切替部は、前記電力の供給を受けることに基づいて前記駆動電圧の印加を開始する
請求項１に記載のカード。
【請求項４】
前記切替部は、前記カード本体の内部に位置する回路を含む
請求項１〜３のいずれか一項に記載のカード。
【請求項５】
前記切替部は、前記カード本体の表面に位置する
請求項１〜３のいずれか一項に記載のカード。
【請求項６】
前記切替部には、非接触給電により電力が供給される
請求項５に記載のカード。
【発明の詳細な説明】
【技術分野】
【０００１】
本発明は、カードに関する。
【背景技術】
【０００２】
ＩＣカード等のカードは、その表面に、印刷やエンボス加工によって形成された種々の情報を有している。カードの表面が有する情報には、例えば、カードの所有者に関する情報や、カードの利用に要する情報が含まれる。（例えば、特許文献１参照）。
【先行技術文献】
【特許文献】
【０００３】
【特許文献１】特開２０１４−２０５３２２号公報
【発明の概要】
【発明が解決しようとする課題】
【０００４】
ところで、カードの表面が有する情報には、カードの所有者のみが把握できることが望ましい情報であって、所有者以外の人物である第三者への漏洩が望ましくない情報である秘密情報が含まれる場合がある。秘密情報は、例えば、クレジットカードの表面が有するクレジットカード番号であり、また例えば、個人番号カードの表面が有する個人番号である。これらの秘密情報は、カードの表面において常に視認可能であるため、カードの所有者にとっては把握しやすい一方で、第三者から盗み見られることが避け難い。また、所有者がカードを紛失した場合、そのカードの拾得者は容易に秘密情報を得ることができてしまう。
本発明は、視認可能に構成された情報の秘匿性を高めることのできるカードを提供することを目的とする。
【課題を解決するための手段】
【０００５】
上記課題を解決するカードは、表面に秘匿対象の情報を含むカード本体と、前記表面に位置して前記情報を覆う調光シートであって、駆動電圧が印加されていない期間には前記調光シートが前記情報を視認不能とする不透過状態であり、駆動電圧が印加されている期間には前記調光シートが前記情報を視認可能とする透過状態である調光シートと、前記調光シートの状態を前記不透過状態から前記透過状態に変えるための操作を受けて前記駆動電圧の印加を開始する切替部と、を備える。
【０００６】
上記構成によれば、カードの表面を見た場合に、調光シートが不透過状態であるときには秘匿対象の情報は視認不能であり、調光シートが透過状態であるときには上記情報が視認可能である。したがって、上記情報がカードの表面において常に視認可能である構成と比較して、上記情報の秘匿性を高めることができる。
【０００７】
上記構成において、前記切替部は、認証情報の入力を受け付ける認証情報入力部と、前記認証情報入力部から前記認証情報が入力される制御部と、前記制御部から制御信号を受けることに基づき前記駆動電圧を生成して前記調光シートに印加する駆動部と、を含み、前記制御部は、当該制御部が記憶しているデータと前記認証情報とを用いて認証を行い、前記認証が成立したとき、前記制御信号を前記駆動部に出力し、前記認証が成立する前記認証情報を前記認証情報入力部に対して入力する操作が、前記調光シートの状態を前記不透過状態から前記透過状態に変えるための操作であってもよい。
【０００８】
上記構成によれば、認証の成立が、調光シートを不透過状態から透過状態へ切り替えるための条件であるため、認証情報を有する所有者以外の人物がカードを不正に操作して情報を得ることが抑えられる。
【０００９】
上記構成において、前記調光シートの状態を前記不透過状態から前記透過状態に変えるための操作は、前記切替部に電力を供給するための操作であり、前記切替部は、前記電力の供給を受けることに基づいて前記駆動電圧の印加を開始してもよい。
【００１０】
上記構成によれば、調光シートを不透過状態から透過状態へ変えるためのスイッチ等の構成をカード自身に設ける場合と比較して、カードの構成を簡素にすることが可能である。
上記構成において、前記切替部は、前記カード本体の内部に位置する回路を含んでもよい。
上記構成によれば、カードが受ける衝撃から切替部が含む回路を保護することが可能である。
【００１１】
上記構成において、前記切替部は、前記カード本体の表面に位置してもよい。
上記構成によれば、カード本体の内部に電子回路を配置することが困難な構成のカードにも、調光シートにおける不透過状態と透過状態との切り替えにより情報の秘匿性を高める構成を適用することができる。また、調光シートと切替部とを、カード本体の製造工程とは別の機会にカード本体に固定してカードを構成することも可能である。したがって、調光シートを用いて情報の秘匿性を高める上記構成の適用対象についての自由度が高い。
【００１２】
上記構成において、前記切替部には、非接触給電により電力が供給されてもよい。
上記構成によれば、調光シートの不透過状態から透過状態への切り替えに際して、カードと給電のための装置とにおける端子の接続が不要であるため、情報の確認に際しての利便性が高められる。
【発明の効果】
【００１３】
本発明によれば、視認可能に構成された情報の秘匿性を高めることができる。
【図面の簡単な説明】
【００１４】
【図１】カードの第１実施形態について、カードの外観構成を示す斜視図。
【図２】第１実施形態における調光シートの断面構造を示す断面図。
【図３】第１実施形態のカードにおける電気的構成を示すブロック図。
【図４】第１実施形態のカードにおいて、調光シートの状態を不透過状態から透過状態へ切り替えるための処理手順を示すフローチャート。
【図５】カードの第２実施形態について、カードの外観構成を示す斜視図。
【図６】第２実施形態のカードにおける電気的構成を示すブロック図。
【図７】第２実施形態のカードにおいて、調光シートの状態を不透過状態から透過状態へ切り替えるための処理手順を示すフローチャート。
【発明を実施するための形態】
【００１５】
（第１実施形態）
図１〜図４を参照して、カードの第１実施形態について説明する。
【００１６】
［カードの外観構成］
図１を参照して、カードの外観構成について説明する。
図１が示すように、カード１０は、カード本体２０と、調光シート３０とを備えている。カード本体２０は、平板状であって、樹脂層や印刷層等を含む多層構造を有する。カード本体２０の内部には、ＩＣ等が組み込まれている。
【００１７】
カード本体２０の表面と対向する方向から見て、カード本体２０の表面には、秘匿対象の情報、すなわち、カード１０の所有者以外の人物への漏洩が望ましくない情報である秘密情報Ｉｓが含まれている。秘密情報Ｉｓは、例えば、印刷層から構成されており、熱転写方式によって印字される。
【００１８】
秘密情報Ｉｓは、所有者以外の人物への漏洩が望ましくない情報であれば、文字から構成される情報であってもよいし、画像から構成される情報であってもよいし、文字と画像とから構成される情報であってもよい。具体的には、例えば、カード１０が個人番号カードである場合には、秘密情報Ｉｓは個人番号であり、また例えば、カード１０がクレジットカードである場合には、秘密情報Ｉｓはクレジットカード番号である。
【００１９】
カード１０は、認証情報入力部２１を備え、認証情報入力部２１は、カード本体２０の表面または裏面に露出している。すなわち、カード本体２０において、認証情報入力部２１は、秘密情報Ｉｓと同一の面に位置していてもよいし、秘密情報Ｉｓとは反対側の面に位置していてもよい。
【００２０】
認証情報入力部２１は、認証情報の一例である生体情報の入力を受け付ける。生体情報は、生体認証のために必要な情報である。例えば、生体情報は指紋情報であり、認証情報入力部２１は、指紋の読み取り機能を備え、認証情報入力部２１に触れている所有者の指の指紋を読み取って信号に変換し生体情報として出力する。すなわち、生体の特徴の読み取りに基づき認証情報入力部２１にて生体情報が生成されることが、認証情報入力部２１に対する生体情報の入力である。
【００２１】
調光シート３０は、非通電時において低い光透過性を有し、電力を消費することによって光透過性を高める。調光シート３０は、カード本体２０の表面において、秘密情報Ｉｓを覆う位置に配置されている。調光シート３０は、カード本体２０の表面に接着等によって固定され、調光シート３０の受電端子は、カード本体２０の表面から内部に向けて形成された孔等を通じて、カード本体２０の内部に位置する回路に電気的に接続されている。
【００２２】
［調光シートの構成］
図２を参照して、調光シート３０の構成について詳細に説明する。
図２が示すように、調光シート３０は、調光層３１と、２つの電極層３２と、２つの支持体３３とを有している。２つの電極層３２は、調光層３１を挟み、さらに、調光層３１と２つの電極層３２とからなる積層体を、２つの支持体３３が挟んでいる。
【００２３】
調光層３１は、ＰＮＬＣ（Ｐｏｌｙｍｅｒ  Ｎｅｔｗｏｒｋ  Ｌｉｑｕｉｄ  Ｃｒｙｓｔａｌ）構造を有する高分子ネットワーク型の液晶を含む。高分子ネットワーク型液晶は、３次元の網目状を有した高分子ネットワークを備え、高分子ネットワークが有する空隙に液晶分子を保持する。調光層３１が含む液晶分子は、例えば、誘電率異方性が正であって、液晶分子の長軸方向の誘電率が液晶分子の短軸方向の誘電率よりも大きい。液晶分子は、例えば、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系の液晶分子である。
【００２４】
電極層３２は、導電性を有する透明な層である。電極層３２を構成する材料としては、例えば、酸化インジウムスズ（ＩＴＯ）、フッ素ドープ酸化スズ（ＦＴＯ）、酸化スズ、酸化亜鉛等が挙げられる。支持体３３は透明な基材であり、支持体３３としては、例えば、ガラス基板やシリコン基板、あるいは、ポリエチレン、ポリスチレン、ポリエチレンテレフタレート、ポリビニルアルコール、ポリカーボネート、ポリ塩化ビニル、ポリイミド、ポリサルホン等からなる高分子フィルムが用いられる。
【００２５】
調光層３１に電圧が印加されていないとき、液晶分子の長軸方向の向きは不規則である。そのため、調光層３１に入射した光は散乱し、調光シート３０は白濁して見える。一方、２つの電極層３２の間に電圧が印加されると、電圧の大きさに応じて液晶分子が配向され、その長軸方向が電極層３２間の電界方向に沿った向きとなって調光層３１を光が透過しやすくなる。すなわち、調光層３１に電圧が印加されていない期間においては、調光シート３０は不透明である。調光層３１に電圧が印加されている期間においては、電圧の絶対値が大きくなるにつれて、調光シート３０の光透過性は上昇し、電圧の絶対値が所定値以上であるときに、調光シート３０の光透過性は最大となる。
【００２６】
調光シート３０は、不透過状態と透過状態とが切り換えられるように制御される。不透過状態は、調光シート３０が、秘密情報Ｉｓを視認不能とする不透明である状態であって、調光層３１に電圧が印加されていない、もしくは、調光層３１に印加されている電圧が微小である状態である。透過状態は、調光シート３０が、調光シート３０を通して秘密情報Ｉｓを視認可能な光透過性を有する状態であって、不透過状態であるときよりも絶対値が大きい電圧である駆動電圧が調光層３１に印加されている状態である。不透過状態における調光シート３０のヘイズ値（もしくは拡散透過率）は８０％以上であることが好ましく、透過状態における調光シート３０のヘイズ値（もしくは拡散透過率）は１０％以下であることが好ましい。
【００２７】
［カードの電気的構成］
図３を参照して、カード１０の電気的構成を説明する。
図３が示すように、カード１０は、上述の構成に加えて、制御部４１と、駆動部４２と、電源部４３とを備えている。制御部４１と駆動部４２と電源部４３とは、カード本体２０の内部に位置する。
【００２８】
制御部４１は、ＣＰＵと、ＲＯＭやＲＡＭ等のメモリとを含む。カード１０が、接触型もしくは非接触型の通信機能を有するＩＣカード、あるいは、接触型と非接触型との両方の通信機能を有するＩＣカードである場合、制御部４１は、これらの通信に関する制御を行うＩＣによって具体化されてもよい。あるいは、制御部４１は、上記通信に関する制御を行うＩＣとは別のＩＣによって具体化されてもよい。
【００２９】
制御部４１は、認証情報入力部２１から生体情報の入力を受け、生体情報と制御部４１が記憶しているデータとを用いて認証を行う。例えば、制御部４１は、生体情報が示す指紋と、制御部４１が記憶している生体データが示す指紋との一致度が所定値以上であるか否かを判定する。指紋の一致度が所定値以上であるとき、認証が成立する。指紋の一致度の算出には、公知のパターン認識技術が用いられればよい。制御部４１が記憶している生体データは、カード１０の所有者の生体から採られたデータであって、制御部４１に予め記憶されている。
また、制御部４１は、認証が成立したとき、駆動部４２に対して、調光シート３０への電力の供給を指示する信号である制御信号を出力する。
【００３０】
駆動部４２は、制御信号を受けると、電源部４３から受けた電力を用いて、調光シート３０の駆動電圧を生成し、駆動電圧を調光シート３０の電極層３２を通じて調光層３１に印加する。駆動電圧は、上述のように、調光シート３０が透過状態で駆動するための電圧である。
【００３１】
電源部４３は、例えば、一次電池や二次電池であり、制御部４１や駆動部４２や認証情報入力部２１等のカード１０の各部に駆動のための電力を供給する。電源部４３がパルス放電を行う電池であると、調光層３１の耐久性が高められる。
【００３２】
上記構成において、認証情報入力部２１、制御部４１、および、駆動部４２は、調光シート３０の状態を不透過状態から透過状態へ変えるための操作である切替操作を受けて駆動電圧の調光シート３０への印加を開始する切替部４４を構成する。切替操作は、カード１０に対する操作であって、生体情報を認証情報入力部２１に対して入力する操作である。
【００３３】
［カードの動作］
図４を参照して、第１実施形態のカード１０の動作を説明する。図４は、調光シート３０を不透過状態から透過状態へ切り替える処理の手順を示すフローチャートである。
【００３４】
カード１０において、調光シート３０は、秘密情報Ｉｓの視認が不要とされる通常時は不透過状態にされ、秘密情報Ｉｓの視認が必要であるときに透過状態に切り替えられる。調光シート３０が不透過状態であるとき、調光シート３０は不透明であるため、調光シート３０に覆われている秘密情報Ｉｓは視認されない。
【００３５】
カード１０の利用時等において所有者が秘密情報Ｉｓの確認を必要とするときには、図４に示すフローに従った処理が行われる。すなわち、所有者が認証情報入力部２１に指を当てるなどの操作を行うことによって、ステップＳ１０の処理として、認証情報入力部２１に生体情報が入力される。これを受けて、認証情報入力部２１は生体情報を制御部４１に出力する。なお、認証情報入力部２１の起動は、認証情報入力部２１の押下等、適宜の操作を契機として行われればよい。
【００３６】
続いて、ステップＳ１１の処理として、制御部４１は、生体情報と制御部４１が記憶しているデータとを用いて認証を行う。そして、ステップＳ１２の処理として認証が成立したか否かが判断され、認証が成立したとき、ステップＳ１３の処理として、制御部４１は、駆動部４２に制御信号を出力する。制御信号を受けた駆動部４２は、ステップＳ１４の処理として、調光シート３０の駆動電圧を生成して調光シート３０への駆動電圧の印加を開始する。
【００３７】
これにより、調光シート３０に駆動電圧が印加され、調光シート３０は不透過状態から透過状態へ切り替えられる。その結果、調光シート３０に覆われている秘密情報Ｉｓが見えるようになる。なお、認証の成立が否定された場合には、ステップＳ１３およびステップＳ１４の処理は行われずに処理が終了し、調光シート３０の不透過状態が維持される。すなわち、第１実施形態においては、認証が成立する生体情報を認証情報入力部２１に対して入力する操作が、切替操作である。
【００３８】
上記構成によれば、所有者が秘密情報Ｉｓを必要とするとき以外には、カード１０の表面において秘密情報Ｉｓは視認不能であるため、カード１０の所有者以外の人物に秘密情報Ｉｓを見られることが抑えられる。
【００３９】
また、認証の成立を条件として、調光シート３０が不透過状態から透過状態へ切り替えられるため、所有者以外の人物がカード１０を不正に操作して秘密情報Ｉｓを得ることが抑えられる。特に、認証として生体認証が採用されているため、所有者以外の人物が所有者に成りすまして秘密情報Ｉｓを得ることが好適に抑えられる。また、所有者は認証のための情報を覚えておく必要がないため、認証に要する所有者の負荷が低減される。
【００４０】
なお、調光シート３０における透過状態から不透過状態への切り替えは、例えば以下の構成によって実現される。すなわち、予め設定された期間のみ、駆動電圧が調光シート３０に印加されるように、駆動部４２は駆動電圧の生成と調光シート３０への印加とを行う。これにより、駆動電圧の印加が開始されてから上記期間が経過すると、調光シート３０は透過状態から不透過状態へ切り替わる。
【００４１】
あるいは、制御部４１から駆動部４２に、調光シート３０への電力の供給の停止を指示する停止信号が入力され、停止信号を受けることに基づいて駆動部４２は駆動電圧の調光シート３０への印加を停止してもよい。駆動電圧の調光シート３０への印加が停止されると、調光シート３０は透過状態から不透過状態へ切り替わる。
【００４２】
停止信号は、例えば、制御信号の出力から所定の期間の経過後に出力されてもよいし、所有者の操作に基づいて出力されてもよい。例えば、認証情報入力部２１が、認証情報入力部２１から所有者の指が離れたことを検出し、この検出結果が制御部４１に入力されたときに、制御部４１は停止信号を出力する。こうした構成によれば、認証情報入力部２１に所有者の指が接している期間のみ、秘密情報Ｉｓが視認可能となる。また例えば、透過状態から不透過状態への切り替えを指示するためのスイッチ部がカード本体２０の表面に設けられ、スイッチ部が押下されたことを示す信号が制御部４１に入力されたとき、制御部４１は停止信号を出力してもよい。
【００４３】
第１実施形態のカード１０においては、不透過状態と透過状態とを有する調光シート３０が用いられることにより、秘密情報Ｉｓが視認不能な状態と秘密情報Ｉｓが視認可能な状態とを切り替え可能な構成が実現されている。こうした構成によれば、例えば、液晶パネルや電子ペーパー等の表示部を備えて、必要なときにのみ表示部に秘密情報を表示させる形態と比較して、カード１０の構成が簡素である。
【００４４】
また、上記カード１０によれば、外部装置との通信等を行わなくとも、カード１０のみによって調光シート３０の不透過状態と透過状態との切り替えが可能である。したがって、所有者は、秘密情報Ｉｓの確認を、場所や設備等の環境的な制限を受けずに行うことができる。それゆえ、秘密情報Ｉｓの確認に際しての利便性が高い。
【００４５】
［変形例］
第１実施形態のカード１０は、以下のように変更して実施することが可能である。
・認証は、生体認証とは異なる方法によって行われてもよい。例えば、カード本体２０は、その表面もしくは裏面に認証情報入力部２１として数字キーを有し、所有者が数字キーを押下することに基づいて、認証情報として所定の桁数の数字から構成されるパスコードが認証情報入力部２１に入力されてもよい。この場合、制御部４１は、予め設定されたパスコードのデータを記憶し、入力されたパスコードと記憶しているデータとが一致するか否かを判定することにより、認証を行う。すなわち、認証情報入力部２１に対する操作に基づき認証情報入力部２１にて認証情報が生成されることが、認証情報入力部２１に対する認証情報の入力であり、認証が成立する認証情報を認証情報入力部２１に対して入力する操作が、切替操作である。
【００４６】
・上記実施形態では、電源部４３として電池から制御部４１や駆動部４２に電力が供給される構成を例示したが、電力の供給の形態はこれに限られない。例えば、受電のための端子を含む受電部がカード本体２０の表面に露出され、受電部の端子と外部装置の給電端子との接触を通じて、外部装置から給電が行われてもよいし、カード本体２０の内部にアンテナ等からなる受電部を備え、受電部を通じた非接触給電によって制御部４１や駆動部４２に電力が供給されてもよい。そして、カード１０が接触型や非接触型の通信機能を有するＩＣカードである場合、これらの通信のための端子やアンテナを通じて、上述の接触による給電や非接触による給電が行われてもよい。
【００４７】
・上記実施形態では、切替操作は、認証が成立する認証情報を認証情報入力部２１に対して入力する操作であるが、切替操作はこの操作に限られない。例えば、不透過状態から透過状態への切り替えを指示するためのスイッチ部がカード本体２０の表面に設けられ、スイッチ部が押下されたことを示す信号が制御部４１に入力されたとき、制御部４１は駆動部４２に制御信号を出力してもよい。この場合、スイッチ部を押下する操作が切替操作である。こうした場合には、制御部４１による認証は行われず、切替部４４は認証情報入力部２１を備えなくてよい。
【００４８】
また、切替操作は、切替部４４に電力を供給するための操作であってもよい。例えば、上述の接触による給電や非接触による給電を開始させるための操作、すなわち、こうした給電を行う外部装置に対して所定の位置にカード１０を配置する操作が切替操作であってもよい。この場合、外部装置からの給電によって受電部を含む切替部に対して電力の供給が開始されることに基づいて、制御部４１は駆動部４２に制御信号を出力する。こうした場合には、制御部４１による認証は行われず、カード１０は認証情報入力部２１を備えなくてよい。また、駆動部４２には、外部装置から送られた電力が供給されてもよいし、電源部４３から電力が供給されてもよい。さらに、切替操作が切替部に電力を供給するための操作である場合にあっては、カード１０は制御部４１を備えず、外部装置からの給電に基づく受電部からの電力の供給を駆動部４２が受けたとき、駆動部４２は、駆動電圧の生成と調光シート３０への印加とを行ってもよい。
【００４９】
以上説明したように、第１実施形態によれば、以下の効果を得ることができる。
（１）秘密情報Ｉｓが不透過状態と透過状態とを有する調光シート３０に覆われているため、カード１０の表面を見た場合に、調光シート３０が不透過状態であるときには秘密情報Ｉｓは視認不能であり、調光シート３０が透過状態であるときには秘密情報Ｉｓが視認可能である。したがって、秘密情報Ｉｓがカードの表面において常に視認可能である構成と比較して、秘密情報Ｉｓの秘匿性を高めることができる。
【００５０】
（２）調光シート３０の状態を不透過状態から透過状態へ変えるための切替操作が、認証が成立する認証情報を認証情報入力部２１に対して入力する操作である構成では、所有者以外の人物がカード１０を不正に操作して秘密情報Ｉｓを得ることが抑えられる。
【００５１】
（３）調光シート３０の状態を不透過状態から透過状態へ変えるための切替操作が、切替部４４に電力を供給するための操作である構成では、不透過状態から透過状態への切り替えのためのスイッチ等の構成をカード１０に設ける場合と比較して、カード１０の構成を簡素にすることが可能である。
【００５２】
（４）制御部４１と駆動部４２とがカード本体２０の内部に位置する。すなわち、切替部４４がカード本体２０の内部に位置する回路を含むため、カード１０が受ける衝撃から切替部４４に含まれる回路を保護することが可能である。
【００５３】
（第２実施形態）
図５〜図７を参照して、カードの第２実施形態について説明する。以下では、第１実施形態との相違点を中心に説明し、第１実施形態と同様の構成については同じ符号を付してその説明を省略する。
【００５４】
［カードの外観構成］
図５が示すように、第２実施形態のカード１１は、カード本体２０の表面に、切替部を構成する回路を含む回路部５０を備えている。回路部５０は、シート状を有し、上記回路に加えて、回路が形成された基材や、回路および基材を挟む支持体等を含む。また、回路部５０は、回路が視認されることを抑えてカード１１の装飾性を高めるための絵柄等を構成する印刷層を含んでいてもよい。
【００５５】
回路部５０の含む回路は、調光シート３０の受電端子と電気的に接続されている。回路部５０は、調光シート３０とともに１つのシート状の部材であるシート部材５１を構成していることが好ましい。
【００５６】
調光シート３０と回路部５０とを含むシート部材５１は、接着等によってカード本体２０の表面に固定されている。第１実施形態と同様に、調光シート３０は、秘密情報Ｉｓを覆っている。
【００５７】
カード１１は、カード本体２０にシート部材５１が固定された後に出荷されてもよいし、カード１１の配布担当者やカード１１の配布を受けた所有者によって、カード本体２０へのシート部材５１の固定が行われてもよい。こうした場合、例えば、所有者自身が、秘密情報Ｉｓの内容に応じて、秘密情報Ｉｓを調光シート３０で隠すか否かを選択することもできる。
［カードの電気的構成］
図６が示すように、カード１１は、駆動部４２と受電部４５とを含む切替部４６を備えている。
【００５８】
受電部４５は、非接触給電によって外部装置から電力の供給を受け、これに基づいて、駆動部４２に電力を供給する。非接触給電の方式は特に限定されず、伝送距離や供給を要する電力の大きさ、給電に要する回路構成等を考慮して選択されればよい。受電部４５は、非接触給電の方式に応じて、例えばアンテナやコイル等の受電に必要な素子から構成される。駆動部４２は、受電部４５から制御信号として電力の供給を受けると、その電力を用いて、駆動電圧を生成し、駆動電圧を調光シート３０に印加する。
【００５９】
第２実施形態において、調光シート３０の状態を不透過状態から透過状態へ変えるための切替操作は、切替部４４に電力を供給するための操作であり、切替部４４は、切替操作に起因した電力の供給を受けることに基づいて、駆動電圧の調光シート３０への印加を開始する。
【００６０】
カード１１が、接触型や非接触型の通信機能を有するＩＣカードであるとき、カード本体２０の内部にはＩＣや通信のためのアンテナ等を含む回路が位置しているが、切替部４６は、カード本体２０の内部の回路とは接続されていなくてよい。
【００６１】
［カードの動作］
図７を参照して、第２実施形態のカード１１の動作を説明する。図７は、調光シート３０を不透過状態から透過状態へ切り替える処理の手順を示すフローチャートである。第２実施形態のカード１１においても、調光シート３０は、秘密情報Ｉｓの視認が不要とされる通常時は不透過状態にされ、秘密情報Ｉｓの視認が必要であるときに透過状態に切り替えられる。
【００６２】
カード１１の利用時等において所有者が秘密情報Ｉｓの確認を必要とするときには、図７に示すフローに従った処理が行われる。すなわち、所有者は、切替操作として、非接触給電を行う外部装置の付近にカード１１を配置する。これにより、ステップＳ２０の処理として、外部装置から受電部４５に電力が供給され、これを受けて、受電部４５から駆動部４２に電力が供給される。電力の供給を受けた駆動部４２は、ステップＳ２１の処理として、駆動電圧を生成して調光シート３０への駆動電圧の印加を開始する。
【００６３】
これにより、調光シート３０に駆動電圧が印加され、調光シート３０は不透過状態から透過状態へ切り替えられる。その結果、調光シート３０に覆われている秘密情報Ｉｓが見えるようになる。
【００６４】
上記構成によっても、第１実施形態と同様に、所有者が秘密情報Ｉｓを必要とするとき以外には、カード１０の表面において秘密情報Ｉｓは視認不能であるため、カード１０の所有者以外の人物に秘密情報Ｉｓを見られることが抑えられる。
【００６５】
なお、調光シート３０における透過状態から不透過状態への切り替えは、第１実施形態と同様に行われればよい。すなわち、予め設定された期間のみ、駆動電圧が調光シート３０に印加されるように、駆動部４２が駆動電圧の生成と調光シート３０への印加とを行う。これにより、予め設定された期間の経過後は、駆動電圧の調光シート３０への印加が停止され、調光シート３０は透過状態から不透過状態へ切り替わる。
【００６６】
あるいは、外部装置からカード１１を遠ざける操作が行われることによって外部装置から受電部４５への電力の供給が停止されたとき、駆動部４２は駆動電圧の調光シート３０への印加を停止してもよい。
【００６７】
第２実施形態のカード１１によれば、秘密情報Ｉｓの確認に際して電力供給のための外部装置が必要ではあるが、第１実施形態と比較してカード本体２０や切替部４６の構成を簡素にすることができる。したがって、カード１１の小型化も容易である。
【００６８】
［変形例］
第２実施形態のカード１１は、以下のように変更して実施することが可能である。
・上記実施形態では、非接触給電によって切替部４６へ給電が行われたが、これに代えて、端子同士の接触を通じて切替部４６に給電が行われてもよい。すなわち、受電部４５が外部装置の給電端子と接触させられる端子を有してこの端子がカード１１の表面、すなわち、シート部材５１の表面に露出され、受電部４５の端子と外部装置の給電端子との接触を通じて、切替部４６へ給電が行われてもよい。
【００６９】
・切替部４６には、駆動部４２による駆動電圧の生成を制御する制御部が含まれてもよい。制御部は、外部装置から受電部４５に電力が入力されることを受けて、調光シート３０への電力の供給を指示する制御信号を駆動部４２に出力し、制御信号を受けて、駆動部４２は駆動電圧の生成と調光シート３０への供給とを行う。
【００７０】
以上説明したように、第２実施形態によれば、第１実施形態の（１），（３）の効果に加えて、以下の効果を得ることができる。
（５）切替部４６がカード本体２０の表面に位置するため、カード本体２０の内部に電子回路を配置することが困難な構成のカードにも、調光シート３０における不透過状態と透過状態との切り替えにより秘密情報Ｉｓの秘匿性を高める構成を適用することができる。また、秘密情報Ｉｓを隠すための構成、すなわち、調光シート３０と回路部５０とを含むシート部材５１を、カード本体２０の製造工程とは別の機会にカード本体２０に固定してカード１１を構成することも可能である。したがって、調光シート３０を用いて秘密情報Ｉｓの秘匿性を高める上記構成の適用対象についての自由度が高い。
【００７１】
（６）切替部４６への電力の入力が非接触給電によって行われる構成では、カード１１と給電のための外部装置とにおける端子の接続が不要であるため、秘密情報Ｉｓの確認に際しての利便性が高められる。
【００７２】
［変形例］
上記各実施形態および比較例のカードは、以下のように変更して実施することが可能である。
・第１実施形態において、調光シート３０は、カード本体２０の表面の全体を覆い、秘密情報Ｉｓと重なる領域のみに、電極層３２が配置されていてもよい。こうした構成によれば、カード１０の表面に調光シート３０に起因した凹凸が形成されることが抑えられるため、カード１０の収納等の取り扱いが容易になる。なお、秘密情報Ｉｓの位置する領域以外の領域では、調光層３１を挟む配向層を調光層３１と支持体３３との間に配置することによって、非通電時において調光シート３０が高い光透過性を有し、調光シート３０を通してカード本体２０の表面の像を視認可能とすることができる。配向層は、液晶分子の長軸方向を調光シート３０の厚さ方向に沿って配向させる層である。
【００７３】
また、第２実施形態においても、回路部５０以外の部分で、調光シート３０は、カード本体２０の表面の全体を覆い、秘密情報Ｉｓと重なる領域のみに、電極層３２が配置されていてもよい。
【００７４】
・秘密情報Ｉｓおよび調光シート３０は、カード本体２０の両面に位置していてもよい。カード本体２０の一方の面のみに秘密情報Ｉｓと調光シート３０とが位置する場合、秘密情報Ｉｓと調光シート３０とが位置する面が、上記実施形態および変形例においてカード本体２０の表面と定義される面である。
【００７５】
・調光シート３０、もしくは、カード本体２０の少なくとも一方が、紫外線バリア機能を有していてもよい。紫外線バリア機能は、調光層３１に含まれる液晶組成物に紫外線が入射することを抑える機能である。ＰＮＬＣ構造の調光層３１に含まれる液晶組成物は、光重合性化合物である電離放射線硬化性樹脂を含むため、紫外線の入射による劣化が生じやすい。調光シート３０、もしくは、カード本体２０の少なくとも一方が、紫外線バリア機能を有する構成であれば、調光層３１を紫外線から保護することが可能であるため、調光シート３０の耐候性の向上が可能である。
【００７６】
なお、液晶組成物の劣化を抑制するために紫外線吸収剤、光安定剤などの耐候剤を液晶組成物に含ませると、調光層３１の硬化成型が行われる際に、硬化に要する紫外線が耐候剤に吸収されてしまい、硬化反応が阻害される。したがって、調光層３１以外の部材が、紫外線バリア機能を備えていることが好ましい。例えば、調光シート３０は、紫外線バリア機能を備えるバリア層を備えていてもよい。バリア層は、例えば、光重合開始剤、不飽和二重結合を有する化合物、紫外線吸収剤を含む。紫外線吸収剤は、例えば、サリチル酸系、ベンゾフェノン系、ベンゾトリアゾール系、シアノアクリレート系、トリアジン系である。また、電極層３２や支持体３３が、紫外線バリア機能を備えていてもよい。あるいは、カード本体２０が上記バリア層を備えていてもよいし、カード本体２０を構成する基材が紫外線バリア機能を備えていてもよい。
【００７７】
なお、カードは、カードの偽造を防止するための構成として、ブラックライト等による紫外線の照射を受けたときに発色する領域であるセキュリティ構造部をカード本体２０の表面や裏面に有する場合がある。セキュリティ構造部は、所定の文字や絵柄を構成するように、紫外線を受けたときに発色するインクの塗布によって形成されている。カードがセキュリティ構造部を有する場合には、秘密情報Ｉｓおよび秘密情報Ｉｓを覆う調光シート３０は、カード本体２０におけるセキュリティ構造部が設けられている面とは反対側の面に配置されていることが好ましい。こうした構成によれば、調光シート３０がセキュリティ構造部と同一の面に配置されている構成と比較して、セキュリティ構造部の確認のために照射される紫外線から調光シート３０を保護することができる。
【００７８】
・調光層３１は、所定の色を有する色素であって、調光層３１に印加された電圧の大きさに応じた液晶分子の運動を妨げない色素を含んでもよい。こうした構成によれば、所定の色を有する調光シート３０が実現されるため、カードの意匠性の向上も可能である。
【００７９】
・調光シート３０は、不透過状態と透過状態とを有するように、すなわち、非通電時に不透明であって通電時に光透過性を高めるように構成されていればよく、調光層３１は、ＰＮＬＣ構造とは異なる構造を有していてもよい。例えば、調光シート３０が液晶型の調光シートである場合、調光層３１の含む液晶の種類としては、ＰＮＬＣ構造を有する高分子ネットワーク型液晶の他に、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）や、カプセル型ネマティック液晶(ＮＣＡＰ：Ｎｅｍａｔｉｃ  Ｃｕｒｖｉｌｉｎｅａｒ  Ａｌｉｇｎｅｄ  Ｐｈａｓｅ)が挙げられる。また、調光シート３０は、エレクトロクロミック型や偏光板型の調光シートであってもよい。
【符号の説明】
【００８０】
Ｉｓ…秘密情報、１０，１１…カード、２０…カード本体、２１…認証情報入力部、３０…調光シート、３１…調光層、３２…電極層、３３…支持体、４１…制御部、４２…駆動部、４３…電源部、４４，４６…切替部、４５…受電部、５０…回路部、５１…シート部材。
【図１】
2018094789.tif 000003
【図２】
2018094789.tif 000004
【図３】
2018094789.tif 000005
【図４】
2018094789.tif 000006
【図５】
2018094789.tif 000007
【図６】
2018094789.tif 000008
【図７】
2018094789.tif 000009